【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】  制御キー（Ｃ１からＣ７；９）を有する電子腕時計内のメモリ管理デバイスであって、デバイスが、メモリ内のデータおよび／またはパラメータの保管および／または削除のオペレーションを管理するようにプログラムされたマイクロプロセッサ・ユニット（１４）に接続された不揮発性メモリ（１５）を含み、腕時計の少なくとも１つのキー（Ｃ１）のアクティブ化によって、データおよび／またはパラメータの保管および／または削除のオペレーションを管理する指令をユニットに与えることができ、メモリ（１５）が、固定されたメモリ位置にデータおよび／またはパラメータを保管する静的第１ゾーン（１００）と、異なるタイプのデータの記録を保管する動的第２ゾーン（１０１）とを含み、各タイプの記録のメモリ位置が、ある記録の修正または削除の関数としておよび新しい記録の保管の関数として、マイクロプロセッサ・ユニット（１４）によって管理され、各記録が、メモリの動的ゾーン内の同一タイプの記録の間のリンクを確立するために第１ポインタ（５１、５２）が配置されるヘディングから始まり、マイクロプロセッサ・ユニット（１４）が、自動的にまたは腕時計の少なくとも１つの確認キー（Ｃ１）をアクティブにすることによって、動的ゾーン（１０１）の保管されたデータ記録のメモリ・ケース（１０４）を短縮または圧縮するように構成されることを特徴とする、デバイス。
【請求項２】  メモリの静的ゾーン（１００）が、各記録のタイプに関連する組（１１０、１１１、１１２、１１３）を含み、記録の数と各タイプの最初の記録と最後の記録に関する２つのポインタとが、固定されたメモリ位置の各チェーンへのリンクをマイクロプロセッサ・ユニット（１４）に提供するために示され、各記録のヘディングが、マイクロプロセッサ・ユニットが２方向で各チェーンの記録を通り抜けることができるように、第１ポインタを用いて同一タイプの後記録および前記録を決定するための第２ポインタを含むことを特徴とする請求項１に記載のデバイス。
【請求項３】  保管される記録のタイプが、メモ記録、住所記録、ダイアリ記録、および破壊記録に関し、保管されたデータ記録メモリ・スペース短縮オペレーションの前または後の使用済みメモリ容量を腕時計の少なくとも１つの液晶ディスプレイに表示するために、マイクロプロセッサ・ユニット（１４）が腕時計のディスプレイ・ドライブ・デバイス（１６）に制御信号を提供するようにするために、静的ゾーンが、動的ゾーン（１０１）に保管された最後の記録の末尾を示す空ゾーン・ポインタ（ＰＶ）を含むことを特徴とする、ダイアリ・ウォッチに関する請求項１および２のいずれかに記載のデバイス。
【請求項４】  腕時計（１）の少なくとも１つの液晶ディスプレイ（５、６）に表示されるメモリ容量に関するヘディングの下でユニットによって設定メニューが選択される時と、腕時計の少なくとも１つの確認キー（Ｃ１）が決められた時間の間アクティブにされる時とに、マイクロプロセッサ・ユニット（１４）は、動的ゾーン（１０１）内の保管されたデータ記録のメモリ・ケース短縮オペレーションをオンに切り替えることを特徴とすると共に、メモ・タイプ記録、住所タイプ記録、またはダイアリ・タイプ記録が削除される時に、マイクロプロセッサ・ユニット（１４）は、動的ゾーン（１０１）内の同一位置で、削除された記録を破壊記録に置換し、破壊記録が、２つの次破壊記録ポインタおよび前破壊記録ポインタを有するヘディング（５０）を含むことを特徴とする請求項３に記載のデバイス。
【請求項５】  制御キー（Ｃ１からＣ７）と、メモリ内のデータおよび／またはパラメータの保管および／または削除のオペレーションを管理するようにプログラムされたマイクロプロセッサ・ユニット（１４）に接続された不揮発性メモリ（１５）とを含む電子時計であって、その腕時計の少なくとも１つのキー（Ｃ１）のアクティブ化によって、データおよび／またはパラメータの保管および／または削除のオペレーションを管理する命令をユニットに与えることができ、前記メモリ（１５）が、固定された位置にデータおよび／パラメータを保管する静的ゾーン（１００）と、異なるタイプのデータの記録を保管する動的ゾーン（１０１）とを含み、記録メモリ位置が、ある記録の修正または削除の関数として、および新しい記録の保管の関数として、マイクロプロセッサ・ユニットによって管理される電子腕時計内のメモリを管理する方法であって、
複数のタイプの間からの少なくとも１つのタイプのデータの記録を保管するステップであって、各記録のタイプが、ヘディングから始まり、前記ヘディングに、メモリの動的ゾーン内で同一タイプの記録の間のリンクを確立するために第１ポインタ（５１、５２）が配置されるステップと、
自動的にまたは腕時計の少なくとも１つの確認キー（Ｃ１）をアクティブにすることによって、マイクロプロセッサ・ユニット（１４）によって、メモリの動的ゾーン（１０１）内の保管されたデータ記録のメモリ・ケース（１０４）を短縮または圧縮するステップと、
保管されたデータ記録のメモリ・ケース（１０４）短縮オペレーションの前または後の使用済みメモリ容量を腕時計の少なくとも１つの液晶ディスプレイ（５、６）に表示するステップと
を含むことを特徴とする方法。
【請求項６】  制御キーが、腕時計のガラスぶた（４）上に配置された決められた数の接触感知センサ（Ｃ１からＣ７）と、押しボタン（９）とであり、
ダイアリ機能をアクティブにするために腕時計の押しボタン（９）を押す準備ステップであって、センサと、液晶ディスプレイと、マイクロプロセッサ・ユニットの一部とが、あらかじめおよび／またはと、ダイアリ機能のインアクティブの期間の後に、スタンバイ・モードにされる準備ステップと、
短縮オペレーションに関して、腕時計（１）の少なくとも１つの液晶ディスプレイ（５、６）に表示されるメモリ容量に関するヘディングの下でマイクロプロセッサ・ユニット（１４）によって選択される設定メニューで確認キー（Ｃ１）を決められた時間の間アクティブにするステップを含むことを特徴とする請求項５に記載の方法。
【請求項７】  短縮オペレーション中に、
動的ゾーンの第１データの記録から第２データの記録まで、空ケースを検出するステップと、
第１データの記録と第２データの記録との間の空ケースを置換することによって、続く記録である第２データの記録の先頭が、第１記録の末尾のとなりにされるように、第２データの記録を移動するステップと、
第２の移動された記録の次記録ポインタおよび前記録ポインタを調整するステップと、
空ケース検出、記録移動、およびポインタ調整の３ステップを、動的ゾーンのすべての記録について連続的に繰り返すステップと
を含むことを特徴とする請求項５に記載の方法。
【請求項８】  データの記録修正オペレーションにおいて、
修正されるデータの記録を、静的ゾーン（１００）に保管された空ゾーン・ポインタ（ＰＶ）によって示される動的ゾーンの最後の記録の後に移動するステップと、
データの記録を修正するステップと、
修正の前の記録のサイズと修正の後の記録のサイズとを比較し、修正された記録のサイズが修正の前の記録より大きい場合に、この修正された記録が、最後の記録のままになり、空ゾーンポインタが、この修正された記録の末尾を示し、修正された記録のサイズが修正の前の記録のサイズ以下である場合に、修正された記録が、動的ゾーン内での最初の位置で置換するステップと
を含むことを特徴とする請求項５に記載の方法。